(57)【要約】【課題】噴出口の開閉が容易に行えるとともに、蓋体の紛失の虞もなく、使用時蓋体を手に持っている必要なもないため取り扱いが極めて簡単であり、また、ノズル内に於ける液の固化等を防止できるため、噴出された液があらぬ方向へ飛散したり、或いはノズル内に残った液が使用後先端から垂れる等の不都合を防止できる優れた液体噴出ポンプを提案する。【解決手段】ノズル１６の噴出口２５を開閉可能に閉塞する蓋体２７を噴出ヘッド１７に回動可能に装着し、また、噴出ヘッド等により構成される作動噴出部Ｂの回転を防止する回転防止機構３３を設けた。そして、蓋体２７を回動させる際には作動噴出部Ｂは回転しないため、確実に蓋体の開閉を行える如く構成した。【選択図】図１
2004082052.tif 000002
【特許請求の範囲】
【請求項１】
口頸部６に装着キャップ３を嵌合させて容器体２に装着した吸引部Ａと、該吸引部Ａから上方付勢状態で押し下げ可能に突出したステム１５の上端に筒状ノズル１６付き噴出ヘッド１７を嵌着してなる作動噴出部Ｂとを備え、該作動噴出部の上下動により装着した容器体内の液を吸い上げてノズル１６の噴出口２５より噴出する如く構成した液体噴出ポンプに於いて、上記ノズル基端部分の噴出ヘッド１７上面に一端を水平回動可能に枢着した回動板２４をノズル１６上に延設するとともに、回動板２４他端よりノズル１６の噴出口２５を開閉可能に閉塞した閉塞板２６を垂設してなる蓋体２７を設け、且つ、上記作動噴出部Ｂの回転を防止する回転防止機構３３を備えてなることを特徴とする液体噴出ポンプ。
【請求項２】
上記回動板２４が、上記噴出ヘッド１７の頂壁２０前部に凹設した扇状の凹部２２内に一端を水平回動可能に枢着した回動板であり、蓋体２７を回動させた際に回動板２４が扇状の凹部２２の一側面に当接係止される如く構成してなる請求項１記載の液体噴出ポンプ。
【請求項３】
上記蓋体２７と上記噴出ヘッド１７との間に、噴出口２５の閉塞状態で一時的に蓋体２７を噴出ヘッド１７に仮止めする係止機構３０を設けてなる請求項１記載の液体噴出ポンプ。
【請求項４】
上記回転防止機構３３が、上記ステム１５外周下部に周方向多数縦設した縦リブ３３ａ　と、上記吸引部Ａに於けるステム１５外周下部との対向周面に周方向多数縦設した縦リブ３３ｂ　とを互いに係合させてなる回転防止機構である請求項１記載の液体噴出ポンプ。
【発明の詳細な説明】
【０００１】
【発明の属する技術分野】
本発明は液体噴出ポンプに関する。
【０００２】
【従来の技術】
液体噴出ポンプとして、容器体の口頸部に装着キャップを嵌合させることにより容器体に装着するとともに、装着キャップの上端から上方付勢状態で押し下げ可能に突出したステムの上端にノズル付きの噴出ヘッドを嵌着させた作動噴出部を備え、該作動噴出部の上下動により装着した容器体内の液を吸い上げてノズルの噴出口より噴出する如く構成したものが知られている。
【０００３】
【発明が解決しようとする課題】
この種のポンプは、収納液の種類によっては噴出液が異方向へ飛び散ったり、或いは先端より中身が垂れ落ちて付近の床を汚したする等の不都合を生じる場合があった。
【０００４】
これらの主要因はノズル先端に於いて液が固まるためで、それを防止するために従来はノズル先端に着脱自在にキャップを装着することも行われている。しかしながら、この様なポンプでは外したキャップを置く或いは手に持っていなければならず、ポンプ操作に面倒が伴うとともに、外したキャップの紛失の虞もある。その様なことを考慮して、噴出ヘッドから一体に突設した帯をキャップと連結して、外したキャップが帯を介して噴出ヘッドに保持された状態を維持できるものも提案されている。
【０００５】
この場合にはキャップの噴出の虞はなく、また、手にもっていなければならないという不都合もないものの、帯は柔軟で変形が可能なものが使用されるため、外したキャップが不安定な状態で保持され、ポンプ操作の際に邪魔となる不都合がある。また、キャップの装着時にも帯で動きを限定されたキャップは装着が行い難いという欠点もある。
【０００６】
本発明は上記した点に鑑みなされたもので、噴出口の開閉が容易に行えるとともに、蓋体の紛失の虞もなく、手に持っている必要もないため取り扱いが極めて簡単であり、また、ノズル内に於ける液の固化等を防止できるため、噴出させた液があらぬ方向へ飛散したり、或いはノズル内に残っていた液が使用後先端から垂れる等の不都合を防止できる優れた液体噴出ポンプを提案する。
【０００７】
【課題を解決するための手段】
本請求項１発明の液体噴出ポンプは、上記課題を解決するため、口頸部６に装着キャップ３を嵌合させて容器体２に装着した吸引部Ａと、該吸引部Ａから上方付勢状態で押し下げ可能に突出したステム１５の上端に筒状ノズル１６付き噴出ヘッド１７を嵌着してなる作動噴出部Ｂとを備え、該作動噴出部の上下動により装着した容器体内の液を吸い上げてノズル１６の噴出口２５より噴出する如く構成した液体噴出ポンプに於いて、上記ノズル基端部分の噴出ヘッド１７上面に一端を水平回動可能に枢着した回動板２４をノズル１６上に延設するとともに、回動板２４他端よりノズル１６の噴出口２５を開閉可能に閉塞した閉塞板２６を垂設してなる蓋体２７を設け、且つ、上記作動噴出部Ｂの回転を防止する回転防止機構３３を備えてなることを特徴とする液体噴出ポンプとして構成した。
【０００８】
また、請求項２発明の液体噴出ポンプは、上記回動板２４が、上記噴出ヘッド１７の頂壁２０前部に凹設した扇状の凹部２２内に一端を水平回動可能に枢着した回動板であり、蓋体２７を回動させた際に回動板２４が扇状の凹部２２の一側面に当接係止される如く構成してなる請求項１記載の液体噴出ポンプ。
【０００９】
また、請求項３発明の液体噴出ポンプは、上記蓋体２７と上記噴出ヘッド１７との間に、噴出口２５の閉塞状態で一時的に蓋体２７を噴出ヘッド１７に仮止めする係止機構３０を設けてなる請求項１記載の液体噴出ポンプとして構成した。
【００１０】
また、請求項４発明の液体噴出ポンプは、上記回転防止機構３３が、上記ステム１５外周下部に周方向多数縦設した縦リブ３３ａ　と、上記吸引部Ａに於けるステム１５外周下部との対向周面に周方向多数縦設した縦リブ３３ｂ　とを互いに係合させてなる回転防止機構である請求項１記載の液体噴出ポンプとして構成した。
【００１１】
【発明の実施の形態】
以下、本発明の実施例の形態を図面を参照して説明する。
【００１２】
本発明の液体噴出ポンプ１は、容器体２に装着して使用するもので、吸引部Ａと、作動噴出部Ｂとを備えている。
【００１３】
吸引部Ａは、装着した容器体２内の液を吸い上げるためのもので、装着キャップにより下端を容器体２内に垂下した状態で固定したシリンダを備えた形態のものであれば従来のこの種のポンプに於ける吸引部の形態を採用できる。
【００１４】
図示例に於いて吸引部Ａは、装着キャップ３と、シリンダ４と、リング部材５とを備えている。装着キャップ３は、容器体２の口頸部６外周に螺着させた周壁７の上端縁よりフランジ状の頂板８を内方へ延設して構成している。また、シリンダ４は、上端を開口した有底筒状をなし、外周上部より突設したフランジ９を口頸部６上面にパッキン１０を介して載置し、上面を装着キャップ３の上記頂板８により押圧固定することにより、下端を容器体２内に垂下させた状態で容器体２に固定している。シリンダ４内底部には図示しない公知の吸い込み弁を設けており、また、シリンダ下端に上端を嵌着した吸い上げ用のパイプ１１を下方に垂設している。
【００１５】
リング部材５は、シリンダ４の上端内周に嵌合させた内筒１２上端より外方へリング状頂板１３を延設するとともに、該頂板外周縁より垂設した外筒１４をシリンダ４の上端外周に嵌合させて構成している。また、内筒１２の内周上部に螺条を周設し、噴出ヘッド１７の後述する縦筒外周に周設した螺条と螺合可能に構成して、図２に示す如く、作動噴出部Ｂを押し下げた状態で係止させておくことができるように構成している。
【００１６】
作動噴出部Ｂは、吸引部Ａから上方付勢状態で押し下げ可能に突出したステム１５と、該ステム１５の上端に嵌着した筒状ノズル１６付き噴出ヘッド１７を備え、上下動することにより装着した容器体２内の液を吸引部Ａに吸い上げてノズル１６の噴出口２５より噴出する如く構成したものであればその具体的構造は種々採用できる。図示例では、シリンダ４内周に摺動可能に嵌合させたピストン（図示せず）をステム１５の外周下端部に連係させ、また、ステム１５内上部には吐出弁１８を設けている。
【００１７】
噴出ヘッドは、ステム１５内と連通する筒状のノズルを前方へ突設したもので、図示例に於いて噴出ヘッド１７は、ステム１５の上端に嵌着した縦筒１９を頂壁２０裏面中央部より垂設するとともに、頂壁２０周縁部より周壁２１を垂設し、また、縦筒１９の上部に基端を開口したノズル１６を周壁２１を貫通し外方へ突出して構成している。頂壁２０のノズル基端部分には前方に開く扇状の凹部２２形成し、その中央部所定位置に枢着用凹部２３を凹設している。
【００１８】
本発明ではこの様な液体噴出ポンプ１に於いて、上記ノズル基端部分の噴出ヘッド１７上面に一端を水平回動可能に枢着した回動板２４をノズル１６上に延設するとともに、回動板２４他端よりノズル１６の噴出口２５を開閉可能に閉塞した閉塞板２６を垂設してなる蓋体２７を設けている。
【００１９】
図示例に於いて蓋体２７は、基端部下面より上記枢着用凹部２３に枢着させた枢着用凸部２８を突設し且つノズル１６上面に沿って前方へ延設した帯板状の回動板２４を有し、その先端縁より下方へ噴出口２５を開閉可能に閉塞する閉塞板２６を垂設している。回動板２４はノズル１６の形状にあわせて先端部が前方へ傾斜下降し、また、閉塞板２６は噴出口２５の開口端面形状にあわせて斜め後方へ垂下している。また、閉塞板２６の前面中央部から回動板２４上面の前端部中央に至る摘み片２９を一体に突設している。そして、例えば、この摘み片２９を掴んで左右方向に回動させれば噴出口２５が開口する如く構成している。また、この際回動した蓋体２７の回動板２４側面が扇状の凹部２２の一側面に当接係止されてそれ以上の回動を防止される如く構成している。尚、この様な扇状の凹部２２は必ずしも設けなくても良い。
【００２０】
更に、本発明では蓋体２７と噴出ヘッド１７との間に、係止機構３０を設けても良い。この係止機構３０は、噴出口２５の閉塞状態で一時的に蓋体２７を噴出ヘッド１７に仮止めすることができる構造であれば種々の形態を採用できるが、凹部と凸部との係合によって生じる蓋体の噴出ヘッドへの係止が基本的構成として採用できる。図示例は係止機構３０の一例を示すもので、図５に示す如く、回動板２４の後端縁に係合突起３１を突設し、この係合突起３１と対向する扇状の凹部２２の奥面に一対の係止突起３２，３２を突設して、各係止突起３２間の凹部に係合突起３１が乗越え係合可能に構成しており、例えば上記摘み片２９を掴んで蓋体２７を回動させれば容易に係止機構３０は解除されるが、小さな外力によって不用意に蓋体２７が外れて噴出口２５が開口するのを防止する如く構成している。
【００２１】
本発明では、上記蓋体２７の構成に加えて、作動噴出部Ｂの回転を防止する回転防止機構３３を備えている。この回転防止機構３３を設けることにより、例えば、蓋体２７を噴出口２５の閉塞状態から開放状態へ回動させる際に吸引部Ａに対して作動噴出部Ｂが回動してしまうのを防止している。蓋体２７を回動させる際に作動噴出部Ｂが吸引部Ａに対して回動してしまえば、蓋体２７とノズル１６とが同時に回動して噴出口２５を開くのが困難となる。特に、上記係止機構３０を設けた場合には、この回転防止機構によりさらに確実に蓋体２７をノズル１６から回動させることができる。
【００２２】
上記回転防止機構３３としては、作動噴出部Ｂの押し込みが可能で且つ回動を防止できる構成であれば良いが、図示例では、上記ステム１５外周下部に周方向多数縦設した縦リブ３３ａ　と、上記吸引部Ａに於けるステム外周下部との対向周面に周方向多数縦設した縦リブ３３ｂ　とを互いに係合させて構成している。更に具体的には、図６に拡大図で示す如く、ステム１５の外周下端部に、周方向多数の縦リブ３３ａ　を縦設し、また、吸引部Ａに於けるステム１５の外周下部との対向周面であるリング部材５の内筒１２内周面下端部に周方向多数の縦リブ３３ｂ　を縦設し、これ等各縦リブ３３ａ　，３３ｂ　相互を係合させてステム１５の押し込みは可能であるが回転は不能に構成している。
【００２３】
上記の如く構成した液体噴出ポンプ１は、図１の状態から摘み片２９を掴んで回動させれば蓋体２７が回動して噴出口２５が開く。この際、蓋体２７はその回動板２４が扇状の凹部２２の一側面に当接するとそれ以上回動せずに適度の回動角度でとどめておくことができる。次いで作動噴出部Ｂを上下動させることにより内蔵ポンプ機構の作用で容器体内の液をシリンダ内に吸い上げるとともに、シリンダ４内の液をノズル１６の噴出口２５より噴出する。使用後は、再び蓋体２７を回動させてその閉塞板２６により噴出口２５を閉塞するこの際係合突起３１が各係止突起３２，３２間に係合されて閉塞状態を安定的に維持する。
【００２４】
尚、上記各部材は主として合成樹脂を使用して形成することができ、必要に応じてエラストマー，金属等を併用して形成することができる。
【００２５】
【発明の効果】
以上説明した如く本発明液体噴出ポンプは、既述構成としたことにより、不使用時には蓋体により噴出口が閉塞されているため、ノズル１６内に於ける液の乾燥固化、或いは、ノズル先端から鍾乳石状に液が垂れ下がり固化する等の不都合を防止でき、その結果、噴出液が意に反する方向へ飛散したり或いはノズル先端よりたれ落ちたりする等の不都合を防止できるものである。しかも、使用時には、蓋体２７を回動させるだけで簡単に噴出口を開放することができ、その回動も回転防止機構３３の存在で確実容易に行えるものである。また、回動された蓋体２７は剛性を備えたものが使用できるため、ぶらぶらしたりして液噴出の邪魔となることはない。
【００２６】
また、上記回動板２４の枢着部分を、上記噴出ヘッド１７の頂壁２０前部に凹設した扇状の凹部２２に設け、蓋体２７を回動させた際に回動板２４が扇状の凹部２２の一側面に当接係止される如く構成したものにあっては、蓋体が無意味に回動することなく噴出の際に邪魔にならない位置までの回動を手の感触のみにて行える便利がある。
【００２７】
また、上記蓋体２７と上記噴出ヘッド１７との間に、噴出口２５の閉塞状態で一時的に蓋体２７を噴出ヘッド１７に仮止めする係止機構３０を設けてなるものにあっては、不使用時に外力により不用意に噴出口を開口してしまう等の不都合を防止でき、噴出口が開口したままの状態を認識しないでの保管等を極力防止できるものである。
【００２８】
また、上記ステム１５外周下部に周方向多数縦設した縦リブ３３ａ　と、上記吸引部Ａに於けるステム外周下部との対向周面に周方向多数縦設した縦リブ３３ｂ　とを互いに係合させてなる回転防止機構３３を有するものにあっては、回転防止機構のために特別なスペースを必要とせず全体をコンパクトに形成できるとともに、外部より回転防止機構を隠すことができるため良好な外観を維持できる等の利点がある。
【図面の簡単な説明】
【図１】本発明の一実施例を示す一部切欠側面図である。
【図２】同実施例の作動噴出部を押し下げ係止させた状態の一部切欠側面図である。
【図３】同実施例の斜視図である。
【図４】同実施例の平面図である。
【図５】同実施例の係止機構の一例を示す拡大平面図である。
【図６】同実施例の要部拡大断面図である。
【符号の説明】
２…容器体，３…装着キャップ，４…シリンダ，５…リング部材，
６…口頸部，１５…ステム，１６…ノズル，１７…噴出ヘッド，１９…縦筒，
２０…噴出ヘッド頂壁，２２…扇状の凹部，２４…回動板，２５…噴出口，
２６…閉塞板，２７…蓋体，３０…係止機構，３３…回転防止機構，
３３ａ　，３３ｂ　…縦リブ，Ａ…吸引部，Ｂ…作動噴出部
【図１】
2004082052.tif 000003
【図２】
2004082052.tif 000004
【図３】
2004082052.tif 000005
【図４】
2004082052.tif 000006
【図５】
2004082052.tif 000007
【図６】
2004082052.tif 000008